(57)【要約】      （修正有）【課題】極めて容易に就寝時等の姿勢を適切に維持し、腰痛や関節疾患等の予防又は解消することのできる折畳式ベッドを提供する。【解決手段】マットレス２が複数に分割されて折畳み可能に接続された収納型の折畳式マットレスであって、マットレス２の折畳み部に生じる窪みに対して、マットレス２の接続側で窪みの開口端の全部又は少なくとも一部に、窪みを開閉自在に連結するためのファスナー３等の連結部を設ける。【選択図】図１
0003184560.tif 000002
【実用新案登録請求の範囲】
【請求項１】
マットレスが複数に分割されて折畳み可能に接続された収納型の折畳式マットレスであって、当該夫々のマットレスの間に生じる窪みに対して、当該夫々のマットレスの接続側で当該窪みの開口端の全部又は少なくとも一部に、当該窪みを開閉自在に夫々のマットレスを連結するための連結部を設けてなることを特徴とする折畳式マットレス。
【請求項２】
マットレスが複数に分割されて折畳み可能に接続された収納型の折畳式マットレスであって、当該夫々のマットレスの間に生じる窪みに対して、当該夫々のマットレスの接続側で当該窪みの開口端の全部又は少なくとも一部に、当該窪みを被覆する被覆布を夫々取付け、当該窪みを開閉自在に夫々のマットレスを連結するための連結部を夫々被覆布の先端に設けてなることを特徴とする折畳式マットレス。
【請求項３】
前記夫々のマットレスの間に生じる窪みの幅間隔よりも両被覆布の長さの計が短く形成されていることを特徴とする請求項２に記載の折畳式マットレス。
【請求項４】
前記連結部が開閉自在とするファスナーであることを特徴とする請求項１乃至３に記載の折畳式マットレス。
【考案の詳細な説明】
【技術分野】
【０００１】
本考案は、就寝時等の姿勢を適切に維持することができ、腰痛や関節疾患等の予防又は解消することのできる折畳式マットレスに関する。
【背景技術】
【０００２】
折畳式マットレスは、設置スペースの有効利用、移動や持ち運びに容易なことから住宅関連分野、介護・医療分野、エステティック美容やマッサージといった美容健康分野その他様々な分野において利用されている。
【０００３】
従来、折畳式マットレス、例えば、中央部で逆Ｖ字状に折畳み可能なマットレスにおいては、水平展開時には前寝台と後寝台のマットレス間の境界に窪みが生じる。しかし、この窪みは就寝者の腰部近傍にあたることから理想的な就寝姿勢がとりづらいという問題があった。
【０００４】
そんな中、本出願人により、折畳式ベッドの前後寝台上のマットレス境界凹部に略帯状の補助クッション体を嵌合することにより、寝台上をフラットにして就寝者の就寝姿勢をすることのできる折畳式ベッドが提供されている（特許文献１）。
【先行技術文献】
【特許文献】
【０００５】
【特許文献１】実願２０１３−０００８７５号
【考案の概要】
【考案が解決しようとする課題】
【０００６】
しかしながら、特許文献１に記載の補助クッション体を折畳式ベッドのマットレスの境界凹部に嵌合する技術では、折畳式ベッドの他に別途補助クッション体を用意しなければならないという問題があった。
【０００７】
また、当該折畳式ベッドに係る補助クッション体は、折畳式ベッドの左右中央に設けられた取付手段を解除して着脱自在にするものであり、当該補助クッション体を取り外す際には補助クッション体の取付手段の左右の解除する必要があり、また、取り外した後の補助クッション体の収納スペースを別途設ける必要があるため、当該補助クッション体自体の取扱いに無駄が生じるという問題があった。
【０００８】
そこで、本考案は、極めて容易に就寝時等の姿勢を適切に維持することができ、腰痛や関節疾患等の予防又は解消することのできる折畳式マットレスを提供することを課題とした。
【課題を解決するための手段】
【０００９】
上記課題を解決するために、本考案は次のように構成した。すなわち、本考案に係る請求項１に記載の折畳式マットレスは、マットレスが複数に分割されて折畳み可能に接続された収納型の折畳式マットレスであって、当該夫々のマットレスの間に生じる窪みに対して、当該夫々のマットレスの接続側で当該窪みの開口端の全部又は少なくとも一部に、当該窪みを開閉自在に夫々のマットレスを連結するための連結部を設けてなることを特徴としている。
【００１０】
また、請求項２に記載の折畳式マットレスは、マットレスが複数に分割されて折畳み可能に接続された収納型の折畳式マットレスであって、当該夫々のマットレスの間に生じる窪みに対して、当該夫々のマットレスの接続側で当該窪みの開口端の全部または少なくとも一部に、当該窪みを被覆する被覆布を夫々取付け、当該窪みを開閉自在に夫々のマットレスを連結するための連結部を夫々被覆布の先端に設けてなることを特徴としている。
【００１１】
また、請求項３に記載の折畳式マットレスは、前記請求項２に記載の折畳式マットレスにおいて、前記夫々のマットレスの間に生じる窪みの幅間隔よりも両被覆布の長さの計が短く形成されていることを特徴としている。
【００１２】
さらに、請求項４に記載の折畳式マットレスは、前記連結部が開閉自在とするファスナーであることを特徴としている。
【考案の効果】
【００１３】
本考案に係る請求項１に記載の折畳式マットレスによれば、複数に分割されて接続されたマットレスにおいて、当該夫々のマットレス間の窪みに対して連結部で夫々のマットレスを連結しようとすると、当該窪みの開口端が窪みの中央方向へと引き寄せられて夫々のマットレスの窪み側の表面生地が突っ張った状態になるため、極めて容易に当該夫々のマットレスの間の窪みを解消して就寝面をフラットにすることができ、就寝時等の姿勢を適切に維持して腰痛や関節疾患等を予防又は解消することができる。また、開閉自在の連結部を開放することにより、夫々のマットレスを容易に折畳むことができ、設置スペースの有効利用、移動や持ち運び、そして収納を容易にすることができる。
【００１４】
また、請求項２に記載の折畳式マットレスによれば、夫々のマットレスの接続側で窪みの開口端に夫々被覆布を取付け、当該夫々の被覆布の先端に連結部設けたことにより、夫々のマットレスの表面生地に直接取付けるよりも連結部を容易に取付けることができ、また、当該窪みの幅が広い場合などには、当該被覆布の幅の分だけ余裕ができることから各連結部を容易に連結することができる。また、連結部によって連結された被覆布及び夫々のマットレスの表面生地が夫々のマットレスの間の窪みを被覆して解消するので就寝面を極めて容易にフラットにすることができ、就寝時等の姿勢を適切に維持して腰痛や関節疾患等を予防又は解消することができる。
【００１５】
また、請求項３に記載の折畳式マットレスによれば、前記夫々のマットレスの間に生じる窪みの幅間隔よりも両被覆布の長さの計が短く形成されているため、各連結部を連結しようとすると夫々のマットレス間の窪みの開口端が窪みの中央方向へと引き寄せられて夫々マットレスの窪み側の表面生地及び当該被覆布が突っ張った状態になり、夫々のマットレスの就寝面を前記請求項２に記載の折畳式マットレスよりも確かにフラットにすることができる。
【００１６】
さらに、請求項４に記載の折畳式マットレスによれば、前記連結部をファスナーで構成したことにより、当該ファスナーを開閉することにより、極めて容易に前記窪みを開閉自在にすることができる。
【図面の簡単な説明】
【００１７】
【図１】本考案に係る折畳式マットレスを示す外観斜視図である。
【図２】当該折畳式マットレスの折畳み箇所を示す拡大図である。
【図３】当該折畳式マットレスの展開状態を示す外観斜視図である。
【図４】当該折畳式マットレスの使用状態を示す側面図である。
【図５】当該折畳式マットレスを折畳んだ状態を示す図である。
【図６】他の実施例の折畳式マットレスの展開状態を示す側面図である。
【図７】当該折畳式マットレスの展開状態を示す側面図である。
【図８】当該折畳式マットレスを示す外観斜視図である。
【考案を実施するための形態】
【００１８】
以下、図１乃至図８を用いて、本考案を具体的に説明する。まず、図１は、本考案に係る折畳式マットレス１を示す外観斜視図であり、図２は、当該折畳式マットレス１の折畳み箇所を示す拡大図である。図１及び図２に示すように、当該折畳式マットレス１は、第一マットレス２ａ、第二マットレス２ｂ、第三マットレス２ｃからなるマットレス２が折畳み可能に接続され、当該第一マットレス２ａ及び第二マットレス２ｂの間と、第二マットレス及び第三マットレス２ｃの間に生じる窪みに対して、当該窪みの開口端に当該窪みを開閉自在に連結するための連結部としてのファスナー３が設けられている。なお、図１及び図２では、当該ファスナー３を開放した状態を図示している。
【００１９】
また、図２において、ファスナー３は、前記窪みの開口端の上側にのみ設けられているが、当該ファスナー３は、前記窪みの開口端の上面側から両側面側に掛けて当該開口端の全部に延設してもよく、また、当該窪みの開口端の少なくとも一部、例えば、当該開口端の上面側或いは側面側にのみ設けてもよく、また、一定の間隔ごとに所定の幅間隔のファスナー３を設ける等してもよい。
【００２０】
図３は、当該折畳式マットレス１を展開した状態を示す外観斜視図である。当該折畳式マットレス１は、折畳まれた状態から展開された後、折畳み箇所に生じた窪みが開閉自在のファスナー３によって閉じられている。当該ファスナー３は、図３に示すように、マットレス２ｂ及びマットレス２ｃの間に生じた窪みの各開口端と、マットレス２ａ及びマットレス２ｂの間に生じた窪みの各開口端に設けられている。このとき、ファスナー３を閉じると、夫々のマットレス２の間の窪みの開口端が窪みの中央方向へと引き寄せられて夫々のマットレスの当該窪み側の表面生地が突っ張った状態になるため、当該窪みを閉じることができるとともに就寝面をフラットにすることができる。
【００２１】
なお、本実施例においては、マットレス２ａ及びマットレス２ｂの間に生じる窪みの開口端は就寝面とは逆の下側に形成され、就寝面はマットレス２ａ及びマットレス２ｂの間の接続部（図３において破線で示す部分）によってフラットに維持されているため、敢えてファスナー３を閉じる必要はなく開放しておいてもよい。
【００２２】
図４は、当該折畳式マットレス１の使用状態を示す側面図である。当該折畳式マットレス１は、前記ファスナー３を閉じることにより、就寝者の加圧によっても前記窪みが広がることはなく就寝面をフラットの状態に維持することができる。これにより、当該就寝面に対して身体を横にする際には、上記就寝時等の姿勢を適切に維持することができるため、身体への負担を軽減することができ、腰痛や関節疾患等を予防又は解消することができる。
【００２３】
図５は、当該折畳式マットレス１を折畳んだ状態を示す図である。折畳式マットレス１は、前記図４に示した展開状態の折畳式マットレス１に対してファスナー３を開放し、前記接続部によって各マットレス２が重なり合うようにして折畳むことができる。このように、当該折畳式マットレス１は、展開状態ではファスナー３を閉じることにより就寝面をフラットに維持することができる一方、ファスナー３を開放して折畳むことにより、就寝時の身体への負担を軽減することができるだけでなく、設置スペースの有効利用、移動や持ち運び、そして収納を容易にすることもできる。
【００２４】
次に、他の実施例の折畳式マットレス１について説明する。
【００２５】
図６は、当該他の実施例の折畳式マットレス１を示す側面図である。当該折畳式マットレス１は、第一マットレス２ａ及び第二マットレス２ｂからなる二枚のマットレス２と、当該第一マットレス２ａ及び第二マットレス２ｂに形成される窪みを連結するファスナー３と、当該ファスナー３と第一マットレス２ａ及び第二マットレス２ｂとを接続して当該窪みを被覆する被覆布４とから構成されている。
【００２６】
図６に示すように、当該折畳式マットレス１に係る第一マットレス２ａ及び第二マットレス２ｂは、上面の角部が緩やかに面取りされて形成されており、第一マットレス２ａ及び第二マットレス２ｂの間の窪みの幅間隔が上記実施例よりも広く形成されている。この場合、ファスナー３のみを第一マットレス２ａ及び第二マットレス２ｂの表面生地に設けただけでは連結できない場合もあり、そのため、当該ファスナー３と第一マットレス２ａ及び第二マットレス２ｂとの間に、当該窪みを被覆する被覆布４を設けている。
【００２７】
図７は、当該折畳式マットレス１を示す側面図である。当該折畳式マットレス１は、第一マットレス２ａ及びマットレス２ｂの間の窪みの開口端に被覆布４を取付け、当該被覆布４の先端に設けたファスナー３が連結されている。当該折畳式マットレス１は、ファスナー３を連結すると、第一マットレス２ａ及びマットレス２ｂの間の窪みの開口端が窪みの中央方向へと引き寄せられて第一マットレス２ａ及び第二マットレス２ｂの窪み側の表面生地及び被覆布４が突っ張った状態になるため、当該窪みが解消されて就寝面をフラットにすることができる。
【００２８】
この際、図６及び図７に示すように、第一マットレス２ａ及び第二マットレス２ｂの間に生じる窪みの幅間隔よりも両被覆布４、４の長さの計を短く形成することにより、ファスナー３を連結すると、当該第一マットレス２ａ及び第二マットレス２ｂの間の窪みの開口端が窪みの中央方向へと引き寄せられ、第一マットレス２ａ及び第二マットレス２ｂの当該窪み側の表面生地及び当該被覆布４が突っ張った状態になり、折畳式マットレス１の就寝面をより確かにフラットにすることができる。
【００２９】
図８は、当該折畳式マットレス１の展開状態を示す外観斜視図である。このように、当該折畳式マットレス１は、第一マットレス２ａ及び第二マットレス２ｂの表面生地及び被覆布４によって窪みが解消され、その就寝面をフラットにすることができる。これにより、当該就寝面に対して身体を横にする際には、上記就寝時等の姿勢を適切に維持することができるため、身体への負担を軽減することができ、腰痛や関節疾患等を予防又は解消することができる。
【００３０】
なお、図示はしないが、当該折畳式マットレス１は、ファスナー３を開放することにより、第一マットレス２ａ及び第二マットレス２ｂの間で折畳むことができ、設置スペースの有効利用、移動や持ち運び、そして収納を容易にすることができる。
【００３１】
上記各実施例では、折畳式マットレス１の連結部をファスナー３としたが、マットレス２の窪み側上端を連結することができるものであれば何でもよく、例えば、その他押し釦や面ファスナー等で構成してもよい。
【産業上の利用可能性】
【００３２】
折畳式マットレス１は、図示はしないが、二つ折りのマットレス２でも、第四又は第五それ以上のマットレス２を複数接続した場合でも、当該マットレス２の間に生じる窪みに対して、当該窪みの開口端に本考案のファスナー３等の連結部を適用することができる。
【符号の説明】
【００３３】
１    折畳式マットレス
２    マットレス
２ａ  第一マットレス
２ｂ  第二マットレス
２ｃ  第三マットレス
３    ファスナー（連結部）
４    被覆布
【図１】
0003184560.tif 000003
【図２】
0003184560.tif 000004
【図３】
0003184560.tif 000005
【図４】
0003184560.tif 000006
【図５】
0003184560.tif 000007
【図６】
0003184560.tif 000008
【図７】
0003184560.tif 000009
【図８】
0003184560.tif 000010